(57)【要約】【課題】本発明は、空気清浄機を設けたガス温風暖房装置の構成に関するものであり、温風暖房機の上部に空気清浄部を配した場合、空気清浄機の能力  を確保するためには、機器として大きいという課題がある。【解決手段】側面から見て燃焼室２と並列に配置された温風を送出するための対流ファン４と、その上部に設けられた空気清浄ファン１５と、空気清浄ファン１５の上部に設けられた空気清浄フィルター１３と、清浄するための空気を上部より吸い込み、清浄された空気を前方に吹き出す構成とし、冷却風路２９を設けて空気清浄部と温風暖房部の燃焼室を隣接させ、機器をコンパクトにした。【選択図】  図１
2004183942.tif 000002
【特許請求の範囲】
【請求項１】
ガスを燃焼するバーナーと、燃焼により発生した排気ガスと外部より取り込んだ空気を混合する燃焼室と、前記燃焼室とは側面から見て並列に配置された温風を送出するための対流ファンと、温風を吹き出す温風吹き出し口で構成された温風暖房部と、前記対流ファンの上部に設けられた空気清浄ファンと、前記空気清浄ファンの上部に設けられた空気清浄フィルターと、清浄するための空気を上部より吸い込む空気清浄吸い込み口と、清浄された空気を前方に吹き出す空気清浄吹き出し口で構成された空気清浄部と、温風暖房部と空気清浄部の間に冷却風路を設けた温風暖房装置。
【請求項２】
前記空気清浄吹き出し口には空気を吹き出す角度を変更できる空気清浄ルーバーと、空気清浄ルーバーの角度を信号により変更する吹き出し角度変更装置と、前記吹き出し角度変更装置に信号を送り制御する制御装置を設け、空気清浄部のみ運転の場合は、前記空気清浄吹き出し口の前記空気清浄ルーバーの角度を斜め上方になるように変更し、空気清浄部と温風暖房部同時運転の場合は前記空気清浄吹き出し口の前記空気清浄ルーバーを斜め下方に変更する制御手段を設けた請求項１記載の温風暖房装置。
【請求項３】
前記空気清浄フィルターは、側面から見て前記燃焼室の前方に設けられた請求項１または２記載の温風暖房装置。
【請求項４】
前記空気清浄フィルターは、側面から見て前記燃焼室の上方に水平方向に設けられた請求項１または２記載の温風暖房装置。
【請求項５】
空気清浄部において、高電圧をかけそこから発生するコロナ放電によりほこりを帯電させる電極と、電極の下流に設けられ帯電したほこりを集塵する集塵フィルターを備えた請求項１から４のいずれか１項記載の温風暖房装置。
【請求項６】
前記空気清浄吹き出し口を前記温風吹き出し口に近接して設け、一つの吹き出し口で構成した請求項１から５のいずれか１項記載の風暖房装置。
【発明の詳細な説明】
【０００１】
【発明の属する技術分野】
本発明は、空気清浄機付温風暖房機の空気清浄部及び温風暖房部の構成に関するものである。
【０００２】
【従来の技術】
従来の温風暖房装置の側断面を図５に示す。バーナー１にて供給されたガスの燃焼を行う。燃焼により発生した排気ガスと空気を混合する燃焼室２がある。バーナー１の下方には温風３を送出するための対流ファン４を設けている。５は対流ファン４を回転させる対流モーターである。対流ファン４の前方には温風吹き出し口６が取り付けられている。温風吹き出し口６には温風ルーバー７が数個設けられている。ケース８の後面には対流用空気１０を取り入れるための対流用フィルター９を備えた吸い込み口がある。
【０００３】
温風暖房部の上部には空気清浄部を配している。１３はほこりやにおいを除去するための機械式の空気清浄フィルターであり、ほこりを除去する繊維と、においを除去する活性炭で構成されている。この空気清浄フィルター１３の面積を大きくとることにより、圧力損失が低下して、効率が上昇し能力が大きくなる。従って、燃焼室２の前方までこの空気清浄フィルター１３を配置させている。１５は外気を取り入れ送風し、しかも風量を多段階に切り換えできる空気清浄ファンであり、空気清浄フィルター１３の内側に設けられている。空気清浄フィルター１３を保護するグリル１２が空気清浄フィルター１３の前面、機器正面に取り付けられている。グリル１２は空気を吸い込むための多くの吸い込み部があり、しかもデザイン性を考慮して、樹脂で作られている。グリル１２の内側下方には、温度検出器１６が設けられている。空気清浄ファン１５の上方には空気清浄吹き出し口１７がある。空気清浄フィルター１３と空気清浄ファン１５と空気清浄吹き出し口１７は、機密性を保つため、ダクト１８で連結されている。
【０００４】
次に温風暖房部の動作について説明する。対流用空気１０の一部１０ａはバーナー１でガスを燃焼させるのに使用され、そこで高温の温風となり、燃焼室２の燃焼風路内で対流用フィルター９を通過した対流用空気１０の一部１０ｂがそのまま通過して混合される。混合された温風１０ｃは、対流ファン４によって前面下部の温風吹き出し口６から温風３になって送出され暖房を行う。
【０００５】
この温風３の温度は１００℃近くあるため、温風ルーバー７の角度は、床面が所定温度以下になるように調整されている。床面がじゅうたんの場合は、温風が触れるとこげるといった心配があるためである。しかし温風ルーバー７の角度をあまり上方に向けると温風３が斜め上方に吹き出され、使用者の顔付近に当たり不快になったり、足元が暖まらないといった問題がある。
【０００６】
次に空気清浄機部の動作について説明する。空気清浄ファン１５が運転すると、グリル１２から空気２１ａが吸い込まれる。このとき空気清浄フィルター１３を通過する際に、においは活性炭で吸着され、ほこりは繊維部で取り除かれ、空気が清浄される。そして清浄された空気２１ｂは空気清浄吹き出し口１７より上方に送出される。
【０００７】
この空気清浄フィルター１３は、寿命が１年から２年であり、使用者がこれを交換する。この際空気清浄フィルター１３をカバーしているグリル１２を取り外す必要がある。特に脱臭部は活性炭を使用しているため、寿命が短い。空気清浄機の能力を確保するためには、空気清浄フィルター１３の体積を大きくして、圧力損失を小さくする必要がある。圧力損失を小さくすると空気清浄ファン１５の能力が小さくても風量を確保でき、空気清浄機の能力を大きくとることが可能になる。ここでは、空気清浄フィルター１３の体積を大きくするために、空気清浄ファン１５の前面よりもさらに下の燃焼室２の前方まで伸ばして、さらに厚さを厚くして体積を確保している。その空気清浄フィルター１３の下方には使用されていない空間２０があり、無駄なスペースになってしまっている。
【０００８】
温風暖房部が運転しているときすなわちガスを燃焼しているときに、温風吹き出し口６の前方に障害物があると、温風３が障害物にあたり、上方に流れる。すると樹脂で成型されているグリル１２やダクト１８はこの温風３の温度で変形してしまう。よってグリル１２内側の下方に設けられた温度検出器１６が温風３の温度を検出して燃焼を止め、グリル１２の変形を防止する。
【０００９】
【発明が解決しようとする課題】
しかしながら上記従来の構成では、空気清浄部を温風暖房部の主要部をそれぞれ上下に分離して構成していた。そして、空気清浄機としての能力や効率を確保するために、空気清浄フィルターの体積を大きくする必要があるので空気清浄フィルターは、空気清浄ファンの手前から温風暖房部の燃焼室の前面まで大きく伸ばして取付けており、この構成であると機器としての奥行きが厚くなり、コンパクト性に欠ける。従って設置場所をとり、しかも大きいため、持ち運びにも苦労するという課題があった。
【００１０】
また、温風吹き出し口に設けられた温度検出器を取り付けるためには複雑な構成にする必要があり、コストが高くなりしかも組立てにくいという課題があった。
【００１１】
また、温風吹き出し口からの吹き出し温度に関しては、温風が当たる床面の温度を所定温度以下にする必要があり、そのため温風の角度を上向きにすると使用者の顔面付近に温風があたり不快であったり、床面付近が暖まらなかったりといった課題があった。
【００１２】
よって、本発明は、空気清浄部をコンパクトにして温風暖房部の無駄なスペースに組みこむように構成して、機器全体の大きさがコンパクトでありながら、温風吹き出し口付近の高温化を防止して温度検出器を不用とし、快適な暖房を行う温風暖房装置とすることを目的とする。
【００１３】
【課題を解決するための手段】
本発明は、上記課題を解決するために、燃焼室とは側面から見て並列に配置された温風を送出するための対流ファンと、温風を吹き出す温風吹き出し口で構成された温風暖房部と、前記対流ファンの上部に設けられた空気清浄ファンと、前記空気清浄ファンの上部に設けられた空気清浄フィルターと、清浄するための空気を上部より吸い込む空気清浄吸い込み口と、清浄された空気を前方に吹き出す空気清浄吹き出し口で構成された空気清浄部と、温風暖房部と空気清浄部の間に冷却風路を備え、従来の構成よりも高さを低くし、機器をコンパクトにすることができる。
【００１４】
【発明の実施の形態】
本発明は、ガスを燃焼するバーナーと、燃焼により発生した排気ガスと外部より取り込んだ空気を混合する燃焼室と、前記燃焼室とは側面から見て並列に配置された温風を送出するための対流ファンと、温風を吹き出す温風吹き出し口で構成された温風暖房部と、前記対流ファンの上部に設けられた空気清浄ファンと、前記空気清浄ファンの上部に設けられた空気清浄フィルターと、清浄するための空気を上部より吸い込む空気清浄吸い込み口と、清浄された空気を前方に吹き出す空気清浄吹き出し口で構成され、空気清浄部と温風暖房部の燃焼室の間に冷却風路を設けたものである。よって、冷却風路により燃焼室の熱を空気清浄部へ伝わらない構成となっているので、温風暖房部と空気清浄部の隣接が可能となり、コンパクト化が図れる。
【００１５】
請求項２は、空気清浄吹き出し口には空気を吹き出す角度を変更できる空気清浄ルーバーと、空気清浄ルーバーの角度を信号により変更する吹き出し角度変更装置と、前記吹き出し角度変更装置に信号を送り制御する制御装置を設け、空気清浄部のみ運転の場合は、前記空気清浄吹き出し口の前記空気清浄ルーバーの角度を斜め上方になるように変更し、空気清浄部と温風暖房部同時運転の場合は前記空気清浄吹き出し口の前記空気清浄ルーバーを斜め下方に変更する制御手段を設けたものである。よって、空気清浄部と温風暖房部の同時運転時には空気清浄吹き出しにより温風吹出口近傍の温風温度を適度に冷却し、下方にむけた吹き出しとすることで、より安全で快適な温風吹き出し形態を実現できる。
【００１６】
請求項３は、空気清浄フィルターを、側面から見て前記燃焼室の前方に設けたものである。よって、燃焼室前のスペースの有効利用となり、高さの低減が可能となる。
【００１７】
請求項４は、前記空気清浄フィルターを側面から見て前記燃焼室の上方に水平方向に設けたものである。よおて、燃焼室上面のスペースをフィルター面積として確保して十分な空気清浄能力を確保することができる。
【００１８】
請求項５は、空気清浄部において、高電圧をかけそこから発生するコロナ放電によりほこりを帯電させる電極と、電極の下流に設けられ帯電したほこりを集塵する集塵フィルターを備えたものである。よって、よりコンパクトな構成で空気清浄部を構成して、機器全体のコンパクト化につながる。
【００１９】
請求項６は前記空気清浄吹き出し口を温風吹き出し口に近接して設け、一つの吹き出し口で構成したものである。よって、外観から吹出し口がひとつとなり、見栄えのよいものとなる。
【００２０】
【実施例】
以下、本発明の実施例について図面に基づき説明する。
【００２１】
（実施例１）
図１は、本発明の温風暖房機の側断面図を示すものである。図１において、バーナー１にて供給されたガスの燃焼を行う。燃焼により発生した排気ガスと空気を混合する燃焼室２がある。バーナー１の前方には温風３を送出するための対流ファン４を設けている。５は対流ファン４を回転させる対流モーターである。対流ファン４と対流モーター５は側面から見て燃焼室２の並列に配置されている。対流ファン４の前方には温風吹き出し口６が取り付けられている。温風吹き出し口６には温風ルーバー７が数個設けられている。ケース８の後面には対流用空気１０を取り入れるための対流用フィルター９がある。
【００２２】
温風暖房部の前方に空気清浄部を配している。対流ファン４の上部には空気清浄ファン１５が配置され、その上方には空気清浄フィルター１３がある。空気清浄フィルター１３は、燃焼室２の前方に配置されている。機器上方には空気２１ａを吸い込む空気清浄吸い込み口２３がある。空気清浄ファン１５の前方には清浄された空気２１ｂ送出する空気清浄吹き出し口２４があり、温風吹き出し口６と同じ前板２６に設けられている。空気清浄吹き出し口２４には、吹き出しの角度を変更する空気清浄ルーバー２５が数個取り付けられている。空気清浄フィルター１３と空気清浄ファン１５はダクト２７で連結され、気密性を保つように隙間がないように構成されている。空気清浄フィルター１３は、ほこりを除去する繊維と、においを除去する活性炭で構成されている。空気清浄フィルター１３の前方で前板２６の上方には空気清浄フィルター１３を交換するときに取り外す前板Ｂ２８が装着されている。この前板Ｂ２８は板金あるいは樹脂のどちらでもよい。そして、温風暖房部と空気清浄部の間には冷却風路２９を設けてある。
【００２３】
次に温風暖房部の動作について説明する。対流用空気１０の一部１０ａはバーナー１でガスを燃焼させるのに使用され、そこで高温の温風となり、燃焼室２の燃焼風路内で対流用フィルター９を通過した対流用空気１０の一部１０ｂがそのまま通過して混合される。混合された温風１０ｃは、対流ファン４によって前面下部の温風吹き出し口６から温風３になって送出され暖房を行う。また、バーナー１の下部から吸込まれた冷却空気１０ｄ、バーナー１上部から吸込まれ冷却風路２９を通過する冷却空気１０ｅも対流ファン４により同時に吸込まれる。冷却空気１０ｄは温風１０ｃを温風吹出し口から吹出す際に、適温になるよう冷却し、冷却空気１０ｅは空気清浄部との間にあり、空気清浄部へ燃焼室の熱が伝達しないように十分に冷却することができる。よって、空気清浄部と燃焼室を隣接させることが可能となり、高さの低いコンパクトな機器の実現が可能となる。
【００２４】
次に空気清浄機部の動作について説明する。空気清浄ファン１５が運転すると、空気清浄吸い込み口２３から機器上方より空気２１ａが吸い込まれる。吸い込まれた空気はダクト２７を経由して、空気清浄フィルター１３を通り、汚れた空気が清浄される。空気清浄フィルター１３を通過する際に、においは活性炭で吸着され、ほこりは繊維部で取り除かれる。そして清浄された空気２１ｂは空気清浄ファン１５により空気清浄吹き出し口２４より前方に送出される。
【００２５】
この空気清浄フィルター１３は、寿命が１年から２年であり、使用者がこれを交換する。この際空気清浄フィルター１３をカバーしている前板Ｂ２８を取り外す必要がある。特に脱臭部は活性炭を使用しているため、寿命が短い。
【００２６】
対流ファン４を燃焼室２の前方に配置して、しかも対流ファン４の上方に空気清浄ファン１５、空気清浄フィルター１３を配し、空気清浄吸い込み口２３を上方に設けることにより、高さを低くして、機器をコンパクトにすることができる。
【００２７】
さらに空気清浄吹き出し口２４を前方に設け、清浄された空気を斜め下前方に送出することにより、温風暖房部の運転時温風吹き出し口６から吹き出される温風と混合されて、温風温度を低下させ、やけどやけがを防止できる。温風温度を低下させることにより、温風を床面に向けて送出することができ、使用者の顔面に温風が直接当たることがなくなり、また床面付近を暖めることができる。
【００２８】
従来例のように機器前面に樹脂で構成された部品がない。温風暖房部が運転しているときすなわちガスを燃焼しているときに、温風吹き出し口６の前方に障害物があり、温風が障害物にあたり、上方に流れて、部品をこの温風で変形させることはない。よって従来例にあったグリル内側の下方に設けられた温度検出器が不要である。この温度検出器を取り付ける複雑な構成が不要であり、安価にすることが可能である。
【００２９】
（実施例２）
側面から見て、空気清浄フィルター１３を燃焼室２の前方に配置している。この位置に置くことにより、燃焼室２の前方のスペースを有効に利用することができ、しかも機器の高さをより低くすることができる。従ってコンパクトにできるため、持ち運びし易く、しかも設置場所を限定されない。
【００３０】
（実施例３）
空気清浄吹き出し口２４には空気を吹き出す角度を変更できる空気清浄ルーバー２５と、空気清浄ルーバー２５の角度を信号により変更する吹き出し角度変更装置３０と、前記吹き出し角度変更装置３０に信号を送り空気清浄ルーバー２５の角度を制御する制御手段３２を制御装置３１に設けている。
【００３１】
空気清浄運転時には、空気清浄吹き出し口２４から空気を前方に送出すると冷風が使用者に当たり、冷風感ある。よって制御装置３１が運転の状態により、吹き出し角度変更装置３０に信号を出し、単独使用時には空気清浄ルーバー２５の角度を斜め上前方にして、清浄した空気２１ｂを上方に送出する。
【００３２】
また空気清浄部と温風暖房部同時運転の場合は空気清浄吹き出し口２４の空気清浄ルーバー２５を斜め下方に変更する。温風吹き出し口６から送出される温度の高い温風３と、空気清浄吹き出し口２４より送出される空気２１ｂが混合され、しかも下向きに混合した温風を送出することにより温風の温度が下がり、やけどやけがを防止できるとともに、床面付近の温度を上げることができる。従来の温風暖房機は、温風の温度が高いため、温風吹き出し口のルーバーの角度を斜め上方に向けていた。そうしないとじゅうたんの上に機器を設置したとき、温風がじゅうたんに当たり、その温度で焦がすといった心配があった。しかし斜め上に温風を送出すると温風が部屋の上方に向かってしまい、床面付近の温度が上がらないといった欠点があった。本実施例の構成でそういった課題が解決できる。
【００３３】
（実施例４）
図２に実施例４の側断面図を示す。空気清浄フィルター１３を、側面から見て燃焼室２の上方に水平方向に設けている。空気清浄フィルター１３を機器の奥行きを利用して大きく設けることができるため、空気清浄機の能力を大きくでき、しかも高さを低くでき、コンパクトにすることが可能である。
【００３４】
（実施例５）
実施例５の側断面図を図３に示す。４０は高電圧を供給するトランスである。
【００３５】
４１はその電圧をコロナ放電に変える電極であり、数個の先端の尖った針状の金属で構成されたり、タングステンの線で構成されている。４２は電極よりも下流に設けられた集塵フィルターである。この集塵フィルター４２はガラス繊維や樹脂を繊維状にして織ったものや、あるいは樹脂を格子状にして帯電させてものがある。この集塵フィルター４２は集塵部のほかに脱臭部として活性炭を一体にすることもできる。
【００３６】
次にその動作について説明する。空気清浄ファン１５が運転すると、室内の汚れた空気２１ａが空気清浄吸い込み口２３から吸い込まれる。これと同時にトランス４０から高電圧が電極４１に供給される。すると尖った針状の先端４１ａからコロナ放電がはじまり、プラスあるいはマイナスイオンが放出され、そこを通過するほこりをプラスあるいはマイナスに帯電させる。
【００３７】
帯電したほこりは、下流にある集塵フィルター４２に集塵される。この集塵フィルター４２もプラスあるいはマイナスに帯電させてあるため、ほこりはこの集塵フィルター４２の電荷に吸い寄せられる。集塵フィルター４２はガラス繊維や樹脂を繊維状にして編みこんだものや、あるいは格子状・ハニカム状にしてある。
【００３８】
この集塵フィルター４２は、帯電したほこりを引き寄せ、効率よく集塵することができる。従来の空気清浄フィルターは、ほこりを帯電させず、空気清浄フィルターのみで集塵しているため、空気清浄フィルターの繊維の密度を高くしないと効率が上がらず、すると圧力損失が大きくなってしまう。そうなると風量がへり、所定の能力を出すことができない。圧力損失を減らすためには、空気清浄フィルターの容積を大きくする必要があり、表面積と厚さを大きくすることが求められる。
【００３９】
本請求項は、電極４１からコロナ放電してほこりを帯電させ下流にある集塵フィルター４２に集塵させるため、集塵フィルター４２の繊維の密度を高くする必要がなく、圧力損失を小さくすることができ、従って集塵フィルター４２の容積を小さくすることができる。そのため、空気清浄モーター（図示せず）の能力が小さくても所定の能力を確保でき、空気清浄部をコンパクトにすることができる。清浄された空気２１ｂは空気清浄吹き出し口６から送出される。
【００４０】
（実施例６）
実施例６の側断面図を図４に示す。空気清浄ファン１５を側面からみて燃焼室２の前方上部に設け、しかも空気清浄吹き出し口２４を温風吹き出し口６に近接して設け、前方から見ると一つの吹き出し部に見える吹き出し口４３で構成している。一つにすることによりデザイン性を向上させすっきりと見える。また空気清浄吹き出し口２４と温風吹き出し口６が近接しているため、温風と空気がより早く混合して、温風の温度を低下できる。
【００４１】
また空気清浄吹き出し口を前方に設け、温風吹き出し口と隣接させ、清浄された空気を斜め下前方に送出することにより、温風暖房部の運転時温風吹き出し口から吹き出される温風と混合させて、温風温度を低下させ、やけどやけがを防止できる。また温風温度を低くできるため、床面に直接温風を吹き出させることが可能になり、使用者の顔面付近に温風が当たらなくなり、しかも床面付近を暖めることができる。また、温風暖房部が運転しているときすなわちガスを燃焼しているときに、温風吹き出し口の前方に障害物があり、温風が障害物にあたり、上方に流れる。機器前面に樹脂で成型されている部品がないためこの温風で変形させることはない。よって従来例にあったグリル内側の下方に設けられた温度検出器が不要である。この温度検出器を取り付ける複雑な構成が不要であり、安価にすることが可能である。
【００４２】
【発明の効果】
以上のように本発明によれば、温風暖房部と空気清浄部の間に冷却風路を設けることによって対流ファンを燃焼室の前方に配置して、しかも対流ファンの上方に空気清浄ファン、空気清浄フィルターを配し、空気清浄吸い込み口を上方に設け、高さを低くして機器をコンパクトにすることができる。
【図面の簡単な説明】
【図１】本発明の実施例における温風暖房装置の断面図
【図２】本発明の実施例４における温風暖房装置の断面図
【図３】本発明の実施例５における温風暖房装置の断面図
【図４】本発明の実施例６における温風暖房装置の断面図
【図５】従来例における温風暖房装置の断面図
【符号の説明】
１  バーナー
２  燃焼室
４  対流ファン
６  温風吹き出し口
１３  空気清浄フィルター
１５  空気清浄ファン
２３  空気清浄吸い込み口
２４  空気清浄吹き出し口
２５  空気清浄ルーバー
２９  冷却風路
３０  吹き出し角度変更装置
３１  制御装置
３２  制御手段
４１  電極
４２  集塵フィルター
４３  吹き出し口
【図１】
2004183942.tif 000003
【図２】
2004183942.tif 000004
【図３】
2004183942.tif 000005
【図４】
2004183942.tif 000006
【図５】
2004183942.tif 000007